(57)【要約】      （修正有）【課題】杉林植林の効率向上を可能とする杉苗の育苗装置及び杉苗の育苗方法を提供する。【解決手段】ポリエチレン製シートを円筒状にした育苗容器２の一端をトレーに具えられた複数の収納孔に装着し、複数の収納孔の各々に装着された育苗容器内にココナッツピートをディスク状に固めてなる簡易栽培固形土５を収納し、簡易栽培固形土に播種した杉苗の育苗装置の、簡易栽培固形土に給水を行う。その育苗容器に収納される種は雄花のない杉の種とすることによって、迅速な対策が求められている花粉症の原因となる杉花粉が発生しない杉林を効率よく短期間で造成することができる。【選択図】図５
2018113935.tif 000002
【特許請求の範囲】
【請求項１】
円筒状育苗容器と、その円筒状育苗容器を保持する複数の収納孔を具えたトレーとよりなる育苗床の、前記複数の収納孔の各々に装着された前記育苗容器内にココナッツピートをディスク状に固めてなる簡易栽培固形土を収納してなることを特徴とする杉苗の育苗装置。
【請求項２】
前記円筒状育苗容器が波形ポリエチレン製シートを円筒状にしてなる請求項１記載の杉苗の育苗装置。
【請求項３】
前記円筒状育苗容器が生分解性プラスチックシートを円筒状にしてなる請求項１記載の杉苗の育苗装置。
【請求項４】
前記育苗容器内に収納された前記簡易栽培固形土に対する給水手段を具えたことを特徴とする請求項１〜請求項３のいずれか一に記載の杉苗の育苗装置。
【請求項５】
前記育苗容器内にロックウールを収納し、その上前記簡易栽培固形土を収納してなる請求項１〜請求項４のいずれか一に記載の杉苗の育苗装置。
【請求項６】
波形ポリエチレン製シートを円筒状にした育苗容器の一端をトレーに具えられた複数の収納孔に装着し、前記複数の収納孔の各々に装着された前記育苗容器内にココナッツピートをディスク状に固めてなる簡易栽培固形土を収納し、前記簡易栽培固形土に播種した杉苗の育苗装置の、前記簡易栽培固形土に給水を行うことを特徴とする杉苗の育苗方法。
【請求項７】
前記育苗容器に収納される種が雄花のない杉の種である請求項４記載の杉苗の育苗方法。
【請求項８】
杉苗の育苗装置を温度管理可能なハウス内に配置することを特徴とする請求項６又は請求項７記載の杉苗の育苗方法。
【発明の詳細な説明】
【技術分野】
【０００１】
本発明は、杉苗の成長環境を常に最適環境に維持して種からの杉苗の育成を短期間で行うことを可能にした杉苗の育苗装置とこれを用いた杉苗の育苗方法に関する。
【背景技術】
【０００２】
現在多数の人が発症し、その対策が求められている花粉症の原因は多くの場合、杉花粉であることが指摘されている。一方、山林は水溜であり、その機能を保全するためには杉林の存在は極めて重要である。
この様な点に鑑みて花粉を出すおしべを有する雄花のない杉の育種による山林の保全が検討されている。
【０００３】
一般に、山林の植樹を行うにあたって、植樹のための樹木苗を栽培しようとする場合、苗床に播種し、畑地で3年間かけて苗を育成し、これによって得られた苗を植林に用いていた。その際、実際の植林に致るまで最初の種まきを行った後、２回の植え替えを行って植林用の苗を得ていた。植林後、１５〜２０年で山林を形成する杉木が得られる。しかしその作業は一貫して人の手作業によって行われていた。  
【０００４】
ところで、この様な杉林等の植物の成長環境を常に最適に維持することを課題として特許文献１には人工培地を水分と空気が円滑に疎通できる材質の包装シートで包装して一定形態を維持する培地セルと、該培地セルが内装され、この培地セルの培地に充分な量の空気と養液が疎通されるように通水孔が形成された通気植木鉢と、該通気植木鉢内に設置された培地セルの内部下方に設置されて植物の根部分を冷却及び加熱させる冷却／加熱空気パイプと、水源よりも高い所に配置された培地セルに植えられた植物に養液を自動的に循環供給する養液供給台と、を具備する植物栽培装置が開示された。
【先行技術文献】
【特許文献】
【０００５】
【特許文献１】特開2000-217449号公報
【発明の概要】
【発明が解決しようとする課題】
【０００６】
特許文献１に開示された植物栽培装置は植物一般の成長環境を常に最適に維持することを課題としており、人工培地に植えられて成長した成木を別の所に移動させることができるように定形化することをその内容としており、特には杉林植林の効率向上を実現できるものではなかった。
本発明の目的は、杉林植林の効率向上を可能とする杉苗の育苗装置及び杉苗の育苗方法を提供することにある。
【課題を解決するための手段】
【０００７】
すなわち本発明の杉苗の育苗装置はポリエチレン製シートと、そのポリエチレン製シートを円筒状にした育苗容器を保持する複数の収納孔を具えたトレーとよりなる育苗床の、前記複数の収納孔の各々に装着された前記育苗容器内にココナッツピートをディスク状に固めてなる簡易栽培固形土を収納してなることを特徴とする。
【０００８】
また本発明の杉苗の育苗方法は、ポリエチレン製シートを円筒状にした育苗容器の一端をトレーに具えられた複数の収納孔に装着し、前記複数の収納孔の各々に装着された前記育苗容器内にココナッツピートをディスク状に固めてなる簡易栽培固形土を収納し、前記簡易栽培固形土に播種した杉苗の育苗装置の、前記簡易栽培固形土に給水を行うことを特徴とし、前記育苗容器に収納される種が雄花のない杉の種であるようにして、杉苗の育苗装置を温度管理可能なハウス内に配置することによって花粉症発症の原因となることのない杉林の植林を効率よく進めることができる。
【図面の簡単な説明】
【０００９】
【図１】本発明の一実施の形態の育苗装置の部分斜視図である。
【図２】図１に示す本発明の一実施の形態の育苗装置の部分側面図である。
【図３】図１に示す本発明の一実施の形態の育苗装置の部分平面図である。
【図４】図１に示す本発明の一実施の形態の育苗装置に用いられる材料の斜視図である。
【図５】図１に示す本発明の一実施の形態の育苗装置の部分模式側面図である。
【図６】本発明の他の実施の形態の育苗装置の部分模式側面図である。
【発明を実施するための形態】
【００１０】
以下、本発明の実施の形態について説明する。
本発明の杉苗の育苗装置１はポリエチレン製シートを円筒状にした育苗容器２を保持する複数の収納孔３を具えたトレー４とよりなる。
ポリエチレン製シートは波板状に形成されており、この波板状ポリエチレンシートを筒状に丸めて育苗容器２とする。
係る育苗容器２は、鉢径や深さの調整が樹種に応じて無段階に調整可能であり非常に自由度が高い。
【００１１】
係る育苗容器２を複数の収納孔３を具えたトレー４の収納孔３に装着して保持する空中トレ一方式が採用される。この様にすることによって育苗容器２の縦方向の波板状タテ筋や、空中トレ一方式による底部の開放により、根のルーピング現象を防止し、活着率の良い理想的なタテ長縦根を形成することができる。しかもシートのカット調や巻き加減で鉢根や根の高さを自由に調整できる。またトレー４の複数の収納孔３の設置間隔を自由に調整することができる。
しかもシートを丸めて形成される育苗容器２を展開することで、苗木の取出しや育苗中の根の発達具合を簡便に確認することができる。
【００１２】
育苗容器２内にはココナッツピートをディスク状に固めてなる簡易栽培固形土５を収納する。
ココナッツピートは ヤシ殻のみを使った完全な有機物であり、ココナッツ果実の堅い殻を作るファイバー状の層の繊維を堆積、醗酵させて得られる天然資源である。
このココナッツピートは、素早く水分を吸収して、バーク堆肥や畑の土などとも良く馴染み、ピ−トモスと違い、一度乾燥しても繰り返し水を吸う事が出来る。また理想的なp Hで （ 5.4 〜 6.8） 石灰などで中和する必要がない。
しかも空気空隙率が高くて通気性が良いので締まらない土作りが出来、植物の生育にも良好である。
【００１３】
本実施の形態では育苗容器２内に収納された簡易栽培固形土５に対する給水手段である水槽６が設けられる。この様にポリエチレン製シートを円筒状にした育苗容器２を保持する複数の収納孔３を具えたトレー４を水槽に配置することによって育苗容器２内に給水することが可能となる。
【００１４】
本発明の杉苗の育苗方法は以上の実施の形態の杉苗の育苗装置１を用いて行う。
すなわちポリエチレン製シートを円筒状にした育苗容器２の一端をトレー４に具えられた複数の収納孔３に装着し、複数の収納孔３の各々に装着された育苗容器２内にココナッツピートをディスク状に固めてなる簡易栽培固形土５を収納し、簡易栽培固形土５に播種した杉苗の育苗装置１の、簡易栽培固形土５に給水を行う。その育苗容器２に収納される種は本実施の形態では雄花のない杉の種とすることによって、迅速な対策が求められている花粉症の原因となる杉花粉が発生しない杉林を効率よく短期間で造成することができる。
また以上の実施の形態の杉苗の育苗方法を実施するにあたり、杉苗の育苗装置１を温度管理可能なハウス内に配置することによって花粉症発症の原因となることのない杉林の植林をさらに効率よく進めることができる。
【００１５】
以上の実施の形態の杉苗の育苗装置１及び杉苗の育苗方法によれば生産作業の効率化・労働負荷の軽減が可能であり、育苗ベンチを利用することによってスペース効率の向上も可能となる。また育苗容器２の底面に穴が開いており、育苗容器２下部に到着した根は空気に触れると自然根の成長が止まる空中根切りをするため、根切り作業が不要となる。また播種や土入れ作業等の機械化も可能であり、均一的な形状の根鉢であるため、専用の植栽器具を使用することで、簡易な植栽が可能となり植栽作業の効率化を図ることができる。
【００１６】
育苗容器２を形成するポリエチレン製シートは波板状に形成されており、これにより形成される育苗容器２内面のリブにより根巻きを生じず、根に土が付いたまま植栽できるため、活着が良好となる。さらに生産期間の短縮が可能であることから 、伐採に合わせた生産がしやすいため、伐採と造林の一貫作業に用いやすく、造林コストの低減が期待できる。
【００１７】
本発明の他の実施の形態では育苗容器２が生分解性プラスチックシートを円筒状にして形成される。
生分解性プラスチックは微生物によって完全に消費され自然的副産物（炭酸ガス、メタン、水、バイオマスなど）のみを生じる。この生分解性プラスチックには、生物資源（バイオマス）由来のバイオプラスチックと、石油由来のものがある。主流はバイオプラスチックであり、でんぷんを原料とするものが多い。主な生分解性プラスチックの成分として、ポリ乳酸、ポリカプロラクトン、ポリヒドロキシアルカノエート、ポリグリコール酸、変性ポリビニルアルコール、カゼイン、変性澱粉がある。石油由来ではPET共重合体がある。
【００１８】
図６は本発明のさらに他の実施の形態の育苗装置１ａを示す。本実施の形態では育苗容器２ａの底に5cm角のロックウール７を置いた上でココナッツピートをディスク状に固めてなる簡易栽培固形土５を充填する。
【実施例】
【００１９】
以下に本発明の杉苗の育苗方法の実施例を説明する。
［実施例１］
2015年4〜5月にロックウール培地（ カルチャーマット） に播種（ 1穴5粒） し、水槽内で発芽させた。5〜6月に育苗容器にココピ−トフロックを入れ、吸水・膨張させて充填したもの（実施例１−１） 120体と育苗容器の底に5cm角のロックウールを置いた上で実施例１−１と同様にココピ−トを充填したもの（実施例１−２） 120体を用意し、ここにカルチャーマットを1穴ごとに切り離してスギ幼植物を移植した。
【００２０】
その後水位を3cmに保ち、7月10日に富山県森林研究所敷地内のプールに移した。
しかしその後、同プールで水温が高くなり同研究所のスギ苗が一部枯れたため、7月28 日に再度元の場所に移し、屋上に設置したプールで、経過観察を続けた。
１２月１４日には冬季の積雪の影響を避けるために室内の窓際に移動させ、翌年3月17日に再び屋上のプールに移した。
育苗で使用している本社屋上の仮設プールの様子（10月1日撮影）
【００２１】
［実施例１の結果］
2016年4月27 日時点の苗の生存数と生存率、および苗の様子を表１に示す。
5月26 日播種のスギ苗は、4月10日播種のスギ苗に比べ生育が劣り、富山森林研究所に預けていた間に枯死していた。これは、播種時期が遅かったために移植時の苗の生育が悪かったことによると考えられる。また、ココピ−トのみの場合よりもココピ−ト＋ロックウ−ルの方が生存率が高くなった。ロックウ−ルの吸水性・保水性により、乾燥ストレスを免れたものと考えられる。冬季に枯れる個体が播種・移植時期や培地を問わず見られた。この間の低温や日照の少なさが原因である可能性がある。
【表１】
2018113935.tif 000003
【００２２】
［実施例２］
2016年5月13 日にロックウール培地（力ルチャーマット） に播種（1穴5粒） し、浅く水を張った水槽内で 発芽させた。同年6月8日ににカルチャーマットを1穴ごとに切り離して、表２に示す培地にスギ幼植物を移植した。表２において実施例２−１〜２−３では波形ポリエチレン製シートを円筒状にしてなる育苗容器２を用い、また実施例２−４では生分解性プラスチックシートを円筒状にして形成される育苗容器２を用いた。
また実施例２−３では育苗容器２の底に5cm角のロックウールを置いた上でココピ−トを充填したものを用いた。
その後水槽の水位を3cmに保ち、7月10日に富山県森林研究所敷地内のプールに移した。
【表２】
2018113935.tif 000004
【符号の説明】
【００２３】
１・・・育苗装置，２・・・育苗容器，３・・・収納孔，４・・・トレー，５・・・簡易栽培固形土，６・・・水槽
【図１】
2018113935.tif 000005
【図２】
2018113935.tif 000006
【図３】
2018113935.tif 000007
【図４】
2018113935.tif 000008
【図５】
2018113935.tif 000009
【図６】
2018113935.tif 000010